(57)【要約】      （修正有）【課題】訓練中に訓練者の下腿の動作が阻害され難く、訓練者が足首を挫いたり、訓練者の足が訓練用靴から脱げたり、することを抑制できる訓練用靴を提供する。【解決手段】訓練用靴１は、訓練時に用いられる訓練用靴であって、訓練者の踝を覆う踝部を有するハイカット部３ｂと、ハイカット部３ｂの前方領域に形成され、ハイカット部の上部を切り欠く切り欠き部３ｈと、踝部を挟んでハイカット部の上端縁の側及び訓練用靴の靴底部４の側に向かって延在する補強部５と、切り欠き部を横断するように配置され、訓練者の歩行動作に追従する弾性部材６と、を備える。【選択図】図２
2020092759.tif 000002
【特許請求の範囲】
【請求項１】
訓練時に用いられる訓練用靴であって、
訓練者の踝を覆う踝部を有するハイカット部と、
前記ハイカット部の前方領域に形成され、前記ハイカット部の上部を切り欠く切り欠き部と、
前記踝部を挟んで前記ハイカット部の上端縁の側及び前記訓練用靴の靴底部の側に向かって延在する補強部と、
前記切り欠き部を横断するように配置され、前記訓練者の歩行動作に追従する弾性部材と、
を備える、訓練用靴。
【発明の詳細な説明】
【技術分野】
【０００１】
本開示は、訓練用靴に関する。
【背景技術】
【０００２】
多様な訓練内容に応じて訓練用靴が使用されている。例えば、特許文献１の訓練用靴は、多様な訓練内容に応じて吸盤状やスパイク状などのトレーニング具を靴底に着脱可能な構成としている。このような訓練用靴は、アッパー部に係止具を介して訓練者の踵を固定し、ヒール部に係止具を介して訓練者の足首を固定可能な構成としている。
【先行技術文献】
【特許文献】
【０００３】
【特許文献１】特開２０００−３３３７０４号公報
【発明の概要】
【発明が解決しようとする課題】
【０００４】
本出願人は、以下の課題を見出した。特許文献１の訓練用靴は、係止具によって訓練者の足首を固定しているため、訓練者の下腿の動作を妨げる可能性がある。その一方で、係止具によって訓練者の足首を固定しないと、訓練中に訓練者が足首を挫いたり、訓練者の足が訓練用靴から脱げたり、する可能性がある。
【０００５】
本開示は、このような問題点に鑑みてなされたものであり、訓練中に訓練者の下腿の動作が阻害され難く、訓練者が足首を挫いたり、訓練者の足が訓練用靴から脱げたり、することを抑制できる訓練用靴を実現する。
【課題を解決するための手段】
【０００６】
本開示の一態様に係る訓練用靴は、訓練時に用いられる訓練用靴であって、
訓練者の踝を覆う踝部を有するハイカット部と、
前記ハイカット部の前方領域に形成され、前記ハイカット部の上部を切り欠く切り欠き部と、
前記踝部を挟んで前記ハイカット部の上端縁の側及び前記訓練用靴の靴底部の側に向かって延在する補強部と、
前記切り欠き部を横断するように配置され、前記訓練者の歩行動作に追従する弾性部材と、
を備える。
【発明の効果】
【０００７】
本開示によれば、訓練中に訓練者の下腿の動作が阻害され難く、訓練者が足首を挫いたり、訓練者の足が訓練用靴から脱げたり、することを抑制できる訓練用靴を実現する。
【図面の簡単な説明】
【０００８】
【図１】実施の形態の訓練用靴を用いて訓練者が歩行訓練を実施する様子を模式的に示す図である。
【図２】実施の形態の訓練用靴を示す斜視図である。
【図３】実施の形態の訓練用靴を外足側から見た側面図である。
【図４】実施の形態の訓練用靴を内足側から見た側面図である。
【図５】実施の形態の訓練用靴を示す平面図である。
【発明を実施するための形態】
【０００９】
以下、本開示を適用した具体的な実施の形態について、図面を参照しながら詳細に説明する。但し、本開示が以下の実施の形態に限定される訳ではない。また、説明を明確にするため、以下の記載及び図面は、適宜、簡略化されている。
【００１０】
先ず、本実施の形態の訓練用靴を用いて歩行訓練を実施する際の様子及びその際の懸念事項を説明する。図１は、本実施の形態の訓練用靴を用いて訓練者が歩行訓練を実施する様子を模式的に示す図である。訓練用靴１は、例えば、図１に示すように、訓練者の患脚に歩行補助装置２を装着して歩行訓練を実施する場合に、訓練者の健脚に好適に装着される。
【００１１】
このような場合、歩行補助装置２の足載置部２ａに載置された患脚の足裏の高さと、健脚の足裏の高さと、が略等しくなるように、訓練用靴１の靴底部の厚さが調整されるが、歩行補助装置２の足載置部２ａは厚さを有するため、一般的な靴に比べて、靴底部の厚さが厚くなる。そのため、訓練者が歩行訓練を実施する際に、特に健脚の足首を挫き易い。
【００１２】
しかも、訓練者の患脚に歩行補助装置２を装着した状態では、訓練者の健脚側に歩行補助装置２の足載置部２ａと下腿部２ｂとの関節部などが突出しているため、当該関節部などに訓練用靴１が引っ掛かり易い。
【００１３】
次に、上述の懸念事項を解決可能な本実施形態の訓練用靴１の構成を説明する。図２は、本実施の形態の訓練用靴を示す斜視図である。図３は、本実施の形態の訓練用靴を外足側から見た側面図である。図４は、本実施の形態の訓練用靴を内足側から見た側面図である。図５は、本実施の形態の訓練用靴を示す平面図である。
【００１４】
訓練用靴１は、図２乃至図５に示すように、アッパー部３、靴底部４、補強部５及び弾性部材６を備えている。アッパー部３は、本体部３ａ及びハイカット部３ｂを備えている。本体部３ａは、訓練者が訓練用靴１を装着した状態で、訓練者の足を覆う。ハイカット部３ｂは、訓練者が訓練用靴１を装着した状態で、訓練者の足首近傍を覆い、訓練者の踝を覆う踝部３ｃを有する。
【００１５】
アッパー部３は、図２に示すように、本体部３ａの爪先部３ｄ近傍からハイカット部３ｂの上端縁まで連続するように切断されている。本体部３ａに形成された切断部に対して内足側部分３ｅには、図４及び図５に示すように、ストラップ３ｆが設けられており、当該ストラップ３ｆの裏面に面ファスナ７のフック側又はループ側の一方７ａが貼り付けられている。
【００１６】
一方、本体部３ａに形成された切断部に対して外足側部分３ｇには、図示を省略した舌部が設けられている。また、本体部３ａの外足側部分３ｇの表面には、図３及び図５に示すように、面ファスナ７の他方７ｂが貼り付けられている。
【００１７】
これにより、訓練者の足を訓練用靴１の内部に挿入し、外足側部分３ｇに設けられた舌部を内足側部分３ｅの裏側に配置した状態で、面ファスナ７を介してストラップ３ｆを本体部３ａの外足側部分３ｇの表面に接合すると、訓練者の足を訓練用靴１に固定することができる。
【００１８】
このとき、図２及び図５に示すように、アッパー部３に形成された切断部によってハイカット部３ｂの前方領域に隙間が形成され、当該隙間で切り欠き部３ｈを形成している。このような切り欠き部３ｈは、ハイカット部３ｂを縦断するように形成されている。但し、切り欠き部３ｈは、訓練者の下腿の動作を阻害しないように、ハイカット部３ｂの上部を切り欠くように形成されていればよい。
【００１９】
靴底部４には、アッパー部３の下端部が接続されている。ここで、靴底部４は、複数枚のシート部材によって厚さが調整可能であるとよい。
【００２０】
補強部５は、図４に示すように、ハイカット部３ｂの踝部３ｃを挟んで靴底部４の側及び当該ハイカット部３ｂの上縁部の側（即ち、上下）に延在している。補強部５は、例えば、ウレタンなどで形成されたプレート部材であり、アッパー部３に組み込まれている。これにより、歩行訓練を実施する際に健脚の足首を挫くことを抑制できる。
【００２１】
このとき、補強部５は、訓練者の健脚の内足側に配置されているとよい。これにより、歩行訓練中に歩行補助装置２が訓練用靴１に接触しても、補強部５によって訓練者の健脚の内側踝近傍を保護することができる。但し、補強部５は、訓練者の健脚の内足側及び外足側の両側に配置されていると、歩行訓練を実施する際に健脚の足首を挫くことをより抑制できる。
【００２２】
ここで、補強部５は、図４に示すように、訓練者の足首の足関節軸ＡＸを挟んで上下に延在するように配置するとよい。そのため、ハイカット部３ｂの踝部３ｃは、汎用性を持たせるために複数の訓練者の足首の足関節軸ＡＸを収めることができる領域に設定するとよい。
【００２３】
なお、本実施の形態の補強部５は、プレート部材で形成したが、アッパー部３の一部を他の部分に比べて硬い材料で形成して補強部５としてもよい。また、補強部５の材質は、訓練者が足首を挫くことを抑制できれば限定されない。さらに、補強部５は、アッパー部３に組み込む必要はなく、アッパー部３の表面や裏面に設けられてもよい。
【００２４】
弾性部材６は、例えば、ゴムなどの弾性体から成り、ベルト状に形成されている。弾性部材６は、訓練者が訓練用靴１を装着した状態で、ハイカット部３ｂの切り欠き部３ｈを横断するように配置される。
【００２５】
詳細には、弾性部材６の一方の端部は、ハイカット部３ｂにおける切り欠き部３ｈに対して内足側部分３ｉに接続され、弾性部材６の裏面には、ハイカット部３ｂにおける切り欠き部３ｈに対して外足側部分３ｊの表面に貼り付けられた面ファスナ８のフック側又はループ側の一方８ａと接合される当該面ファスナ８の他方８ｂが貼り付けられている。
【００２６】
このような弾性部材６は、訓練者が歩行訓練を実施する際に、ハイカット部３ｂの切り欠き部３ｈから露出する下腿の下部に接触するように当該切り欠き部３ｈを横断させ、面ファスナ８を介して弾性部材６の他方の端部をハイカット部３ｂの外足側部分３ｊの表面に接合する。
【００２７】
このような構成の訓練用靴１は、ハイカット部３ｂの踝部３ｃを挟んで靴底部４の側及び当該ハイカット部３ｂの上縁部の側に延在する補強部５を備えている。そのため、訓練者が歩行訓練を実施する際に足首を挫くことを抑制できる。しかも、ハイカット部３ｂによって訓練者の健脚側に歩行補助装置２の関節部などが引っ掛かることを抑制できる。
【００２８】
また、訓練用靴１は、ハイカット部３ｂに切り欠き部３ｈが形成されており、ハイカット部３ｂで訓練者の足首近傍が固定されないため、訓練者の下腿の動作が阻害され難い。
【００２９】
さらに、訓練用靴１は、訓練者が歩行訓練を実施する際に、弾性部材６が下腿の動作に追従するように伸縮して訓練者の下腿との接触が略維持されるので、訓練者の足が訓練用靴１から脱げることを抑制でき、その結果、訓練者の不安感を抑制できる。
【００３０】
以上より、本実施の形態の訓練用靴１は、訓練中に訓練者の下腿の動作が阻害され難く、訓練者が足首を挫いたり、訓練者の足が訓練用靴から脱げたり、することを抑制できる。
【００３１】
ここで、アッパー部３の内足側の表面３ｋは、アッパー部３の外足側の表面３ｌに比べて凹凸が少なく、且つアッパー部３の内足側の表面３ｋの摩擦係数がアッパー部３の外足側の表面３ｌの摩擦係数に比べて小さいとよい。これにより、アッパー部３の内足側の表面３ｋに歩行補助装置２の関節部などが接触しても、アッパー部３の内足側の表面３ｋに歩行補助装置２の関節部などが引っ掛かることをさらに抑制できる。
【００３２】
なお、図５では、前側に向かうに従って内足側に向かって傾斜するハッチングでアッパー部３の内足側の表面３ｋを示し、アッパー部３の内足側の表面３ｋと外足側の表面３ｌとの境界を一点鎖線で示している。
【００３３】
また、画像取得装置を用いて訓練用靴１の動きを検出する場合は、画像取得装置が本体部３ａの爪先部３ｄを検出し易いように当該爪先部３ｄが着色されているとよい。
【００３４】
本開示は上記実施の形態に限られたものではなく、趣旨を逸脱しない範囲で適宜変更することが可能である。
例えば、上記実施の形態では、訓練用靴１を歩行訓練に用いたが、訓練の種類は限定されない。
【符号の説明】
【００３５】
１  訓練用靴
２  歩行補助装置、２ａ  足載置部、２ｂ  下腿部
３  アッパー部
３ａ  本体部
３ｂ  ハイカット部
３ｃ  踝部
３ｄ  爪先部
３ｅ  本体部の内足側部分
３ｆ  ストラップ
３ｇ  本体部の外足側部分
３ｈ  切り欠き部
３ｉ  ハイカット部の内足側部分
３ｊ  ハイカット部の外足側部分
３ｋ  アッパー部３の内足側の表面
３ｌ  アッパー部３の外足側の表面
４  靴底部
５  補強部
６  弾性部材
７、８  面ファスナ
【図１】
2020092759.tif 000003
【図２】
2020092759.tif 000004
【図３】
2020092759.tif 000005
【図４】
2020092759.tif 000006
【図５】
2020092759.tif 000007